(57)【特許請求の範囲】
【請求項１】
左眼画像及び右眼画像に対して左眼用ｋ（ｋは、２以上の自然数）個の画像及び右眼用ｋ（ｋは、２以上の自然数）個の画像を生成し、
以前に受信した前記左眼用ｋ個の画像のうち、ｎ（ｎは、ｋ＞ｎの自然数）番目左眼画像を利用してこれから受信する右眼用ｋ個の画像を補正し、
以前に受信した前記右眼用ｋ個の画像のうち、ｎ（ｎは、ｋ＞ｎの自然数）番目右眼画像を利用してこれから受信する左眼用ｋ個の画像を補正し、
前記左眼用ｋ個の画像はｋ個のルックアップテーブルを利用して各々補正し、前記右眼用ｋ個の画像は前記ｋ個ルックアップテーブルを利用して各々補正し、
補正した前記左眼用ｋ個の画像及び前記右眼用ｋ個の画像を順次に表示パネルに表示し、
前記表示パネルに表示される画像に基づいて前記表示パネルに光を照射することを特徴とする立体画像表示方法。
【請求項２】
左眼画像及び右眼画像に対して左眼用ｋ（ｋは、２以上の自然数）個の画像及び右眼用ｋ（ｋは、２以上の自然数）個の画像を生成するフレーム制御部と、
以前に受信した前記左眼用ｋ個の画像のうち、ｎ（ｎは、ｋ＞ｎの自然数）番目左眼画像を利用してこれから受信する右眼用ｋ個の画像を補正し、
以前に受信した前記右眼用ｋ個の画像のうち、ｎ（ｎは、ｋ＞ｎの自然数）番目右眼画像を利用してこれから受信する左眼用ｋ個の画像を補正し、
前記左眼用ｋ個の画像はｋ個のルックアップテーブルを利用して各々補正し、前記右眼用ｋ個の画像は前記ｋ個ルックアップテーブルを利用して各々補正するデータ補正部と、
補正した前記左眼用ｋ個の画像及び前記右眼用ｋ個の画像を順次に表示パネルに表示するパネル駆動部と、
前記表示パネルに表示される画像に基づいて前記表示パネルに光を照射する光源部と、を含むことを特徴とする表示装置。
【請求項３】
前記データ補正部は以前に受信した前記左眼用ｋ個の画像または前記右眼用ｋ個の画像のうち、前記ｎ番目画像を検出するフレーム検出部と、
検出された前記ｎ番目画像を保存するメモリと、
ｋ個のルックアップテーブルを含み、受信した前記左眼用ｋ個の画像または前記右眼用ｋ個の画像の各々を保存した前記ｎ番目画像を利用して補正する補正部と、を含み、
前記ｋ個の左眼用画像のうちの第1左眼用画像及び前記ｋ個の右眼用画像のうちの第1右眼用画像は、ｋ個のルックアップテーブルのうちの第１ルックアップテーブルを利用して補正し、前記ｋ個の左眼用画像のうちの第２左眼用画像及び前記ｋ個の右眼用画像のうちの第２右眼用画像は、ｋ個のルックアップテーブルのうちの第２ルックアップテーブルを利用して補正することを特徴とする請求項２に記載の表示装置。
【発明の詳細な説明】
【技術分野】
【０００１】
本発明は立体画像表示方法及び立体画像表示方法により立体画像を表示する表示装置に係り、より詳しくは、表示品質を向上させる立体画像表示方法及び立体画像表示方法により立体画像を表示する表示装置に関する。
【背景技術】
【０００２】
一般に液晶表示装置は２次元平面画像を表示する。最近ゲーム、映画などのような分野で３次元立体画像に対する需要が増加し、液晶表示装置を利用して３次元立体画像を表示する。
【０００３】
通常、立体画像は、人の両目を通じての両眼時差（ｂｉｎｏｃｕｌａｒ  ｐａｒａｌｌａｘ）の原理を利用して立体画像を表示する。例えば、人の両眼は、一定程度離れているので、それぞれの目で異なる角度で観察した画像が、脳内に入力される。立体画像表示装置は、こうした両眼時差を利用している。
【０００４】
両眼時差を利用する立体画像表示装置の方式としては、メガネ方式と非メガネ方式（ａｕｔｏｓｔｅｒｅｏｓｃｏｐｉｃ）がある。メガネ方式には、両眼にそれぞれ異なる偏光軸を有する偏光フィルタによる受動的（ｐａｓｓｉｖｅ）偏光メガネ（Ｐｏｌａｒｉｚｅｄ  Ｇｌａｓｓｅｓ）方式と、時間分割して左眼画像と右眼画像を周期的に表示し、この周期に同期された左眼シャッタと右眼シャッタを開閉する眼鏡をかける能動的（ａｃｔｉｖｅ）シャッタメガネ（Ｓｈｕｔｔｅｒ  Ｇｌａｓｓｅｓ）方式などがある。
【０００５】
液晶表示装置はプログレシブ・スキャン（Ｐｒｏｇｒｅｓｓｉｖｅ  Ｓｃａｎ）方式で駆動されるので、液晶表示装置の複数の水平ラインにラインデータが印加される時間が全部異なり、同一時間に対する液晶応答も異なる。このような液晶表示装置の駆動特性に従って、液晶表示装置に左眼画像と右眼画像を交互に表示して立体画像を表示する場合、左眼画像と右眼画像との間の階調差及びプログレシブ・スキャン方式による左眼画像と右眼画像が表示されるタイミングによってクロストークがひどく発生する場合があり、このようなクロストークの発生によって立体画像の品質が低下するといった問題があった。
【発明の概要】
【発明が解決しようとする課題】
【０００６】
本発明は上記従来の問題に鑑みてなされたものであって、本発明の目的は、立体画像のクロストークを改善するための立体画像表示方法を提供することにある。
【０００７】
本発明の他の目的は立体画像表示方法により立体画像を表示する表示装置を提供することにある。
【課題を解決するための手段】
【０００８】
本発明の一実施形態に係る立体画像表示方法は、左眼画像及び右眼画像に対して左眼用ｋ（ｋは、２以上の自然数）個の画像及び右眼用ｋ（ｋは、２以上の自然数）個の画像を生成し、以前に受信した前記左眼用ｋ個の画像または前記右眼用ｋ個の画像のうち、ｎ（ｎは、ｋ＞ｎの自然数）番目画像を利用して現在受信している画像を補正し、補正した前記左眼用ｋ個の画像及び前記右眼用ｋ個の画像を表示パネルに表示し、前記表示パネルに表示される画像に基づいて前記表示パネルに光を照射することを特徴とする。
【０００９】
本発明の一実施形態に係る表示装置は、左眼画像及び右眼画像に対して左眼用ｋ（ｋは、２以上の自然数）個の画像及び右眼用ｋ（ｋは、２以上の自然数）個の画像を生成するフレーム制御部と、以前受信した前記左眼用ｋ個の画像または前記右眼用ｋ個の画像のうち、ｎ（ｎは、ｋ＞ｎの自然数）番目画像を利用して現在受信している画像を補正するデータ補正部と、補正した前記左眼用ｋ個の画像及び前記右眼用ｋ個の画像を、表示パネルに表示するパネル駆動部と、前記表示パネルに表示される画像に基づいて前記表示パネルに光を照射する光源部と、を含むことを特徴とする。
【発明の効果】
【００１０】
本発明によれば、左眼画像（または、右眼画像）をｋ回反復補正することによって、立体画像の表示品質を向上させることができる。また、表示パネルに左眼画像及び右眼画像が混在し表示される区間に表示パネルに光を照射しないことによって、立体画像のクロストークを防止することができる。また、左眼画像と右眼画像との間にブラック画像を挿入することによって液晶の遅いフォーリング応答特性を補償できる時間が確保できる。これによって、光源駆動信号のデューティ比を変更させて輝度効率を向上させることができる。
【図面の簡単な説明】
【００１１】
【図１】本発明の一実施形態に係る表示装置を示すブロック図である。
【図２】（ａ）〜（ｅ）は、図１の光源部の様々な例を示すブロック図である。
【図３】図１のデータ補正部を示すブロック図である。
【図４】図３のデータ補正部の駆動方法を示す概念図である。
【図５】図４に示した補正部のルックアップテーブルを示す概念図である。
【図６】図１に示した表示装置の駆動方法を示す概念図である。
【図７】本発明の他の実施形態に係るフレーム制御部を示す概念図である。
【図８】図７のフレーム制御部を含む表示装置の駆動方法を示す概念図である。
【図９】本発明の他の実施形態に係る表示装置を示すブロック図である。
【図１０】（ａ）及び（ｂ）は、図９の光源部の例を示すブロック図である。
【図１１】図９の表示装置の駆動方法を示す概念図である。
【図１２】本発明の他の実施形態に表示装置の駆動方法を示す概念図である。
【図１３】本発明の他の実施形態に係る表示装置を示すブロック図である。
【図１４】図１３の表示装置の駆動方法を示す概念図である。
【図１５】本発明の他の実施形態に係る表示装置の駆動方法を示す概念図である。
【発明を実施するための最良の形態】
【００１２】
以下、図面を参照して本発明の望ましい実施形態をより詳細に説明することにする。
【００１３】
図１は本発明の一実施形態に係る表示装置を示すブロック図である。図２（ａ）〜図２（ｅ）は、図１の光源部の様々な例を示すブロック図である。
【００１４】
図１を参照すれば、表示装置は、立体画像処理部１１０、フレーム制御部１２０、制御部１３０、データ補正部１５０、表示パネル２００、パネル駆動部３００、光源部５００、光源駆動部６００及びメガネ部７００を含む。
【００１５】
立体画像処理部１１０は圧縮画像ＬＲを受信し、圧縮画像ＬＲを利用して左眼画像Ｌと右眼画像Ｒを生成する。例えば、６０Ｈｚの圧縮画像を利用して１２０Ｈｚの左眼画像Ｌ及び右眼画像Ｒを各々生成する。６０Ｈｚの画像は１フレームを６０Ｈｚの周波数で表示するための画像であり、１２０Ｈｚの画像は１フレームを１２０Ｈｚの周波数で表示するための画像である。
【００１６】
フレーム制御部１２０は左眼画像Ｌ及び右眼画像Ｒを受信する。フレーム制御部１２０は左眼画像Ｌを利用して左眼用ｋ個の画像を出力し、右眼画像Ｒを利用して右眼用ｋ個の画像を出力する。ここで、ｋは、２以上の自然数である。
【００１７】
例えば、フレーム制御部１２０は１２０Ｈｚの左眼画像Ｌを４回繰り返して第１左眼画像Ｌ１、第２左眼画像Ｌ２、第３左眼画像Ｌ３、及び第４左眼画像Ｌ４を生成する。また、フレーム制御部１２０は、１２０Ｈｚの右眼画像Ｒを４回繰り返して第１右眼画像Ｒ１、第２右眼画像Ｒ２、第３右眼画像Ｒ３、及び第４右眼画像Ｒ４を生成する。第１左眼画像Ｌ１、第２左眼画像Ｌ２、第３左眼画像Ｌ３及び第４左眼画像Ｌ４及び第１右眼画像Ｒ１、第２右眼画像Ｒ２、第３右眼画像Ｒ３及び第４右眼画像Ｒ４は、１フレームを４８０Ｈｚの周波数で表示するための４８０Ｈｚの画像である。このように、左眼画像Ｌ及び右眼画像Ｒをｋ回繰り返して表示パネル２００に表示することによって立体画像の表示品質を向上させることができる。
【００１８】
制御部１３０はフレーム制御部１２０から供給された同期信号に基づいてデータ補正部１５０の動作を制御する。また、制御部１３０は表示装置の駆動タイミングを制御する。
【００１９】
データ補正部１５０はフレーム制御部１２０から供給された左眼用ｋ個の画像、または、右眼用ｋ個の画像を複数のルックアッパテーブルを利用して補正する。データ補正部１５０はｋ個の画像のうち設定されたｎ番目画像を以前フレーム（Ｐｒｅｖｉｏｕｓ  Ｆｒａｍｅ）の基準データとして決定し、それを利用して現在フレーム（Ｃｕｒｒｅｎｔ  Ｆｒａｍｅ）の左眼用ｋ個の画像、または、右眼用ｋ個の画像を補正する。ここで、ｎは自然数であり、ｋ＞ｎである。
【００２０】
表示パネル２００は画像を表示する複数の画素を含む。例えば、各画素はデータラインＤＬとゲートＧＬに接続された薄膜トランジスタＴＲ、薄膜トランジスタＴＲに接続された第１の端子と共通電圧Ｖｃｏｍが印加される第２の端子を有する液晶キャパシタＣＬＣを含む。
【００２１】
パネル駆動部３００はデータ駆動部３１０及びゲート駆動部３３０を含み、データ補正部１５０で補正された左眼用ｋ個の画像及び右眼用ｋ個の画像を表示パネル２００に表示する。データ駆動部３１０は制御部１３０の制御に従い、データ補正部１５０から補正された左眼画像及び右眼画像をアナログのデータ電圧に変換しデータラインＤＬに供給する。ゲート駆動部３３０は制御部１３０の制御に従い、ゲート信号を生成してゲートＧＬに供給する。パネル駆動部３００は表示パネル２００にプログレッシブスキャン（Ｐｒｏｇｒｅｓｓｉｖｅ  Ｓｃａｎ）方式でフレーム画像を表示する。
【００２２】
光源部５００は導光板５０１及び複数の発光モジュール５０２、５０３、５０４、５０５を含み、各発光モジュールは複数の発光ダイオードＬＥＤを含む。例えば、第１の発光モジュール５０２は導光板５０１の第１の角側に配置し、第２の発光モジュール５０３は第１の発光モジュール５０２と対向する導光板５０１の第２の角側に配置し、第３発光モジュール５０４は第１の発光モジュール５０２と隣接した導光板５０１の第３の角側に配置し、第４発光モジュール５０５は第３発光モジュール５０４と対向する導光板５０１の第４の角側に配置する。
【００２３】
また、本実施形態に係る表示装置は図２（ａ）〜図２（ｅ）に示した各々の光源部を含む。
【００２４】
図２（ａ）に示した光源部５１０は複数の光源を含み、光源は発光ダイオードＬＥＤであってもよい。光源部５１０は表示パネル２００の真下に配置された直下型構造を有する。ここでは光源が発光ダイオードであることを例としたが、光源は蛍光ランプ（ｆｌｕｏｒｅｓｃｅｎｔ  ｌａｍｐ）を用いてもよい。
【００２５】
図２（ｂ）に示した光源部５２０は表示パネル２００の下に配置された導光板５２１及び導光板５２１の短辺側エッジ（ｅｄｇｅ）のうちいずれか一つに配置された発光モジュール５２２を含む。発光モジュール５２２は光源を含む。光源は発光ダイオードＬＥＤを含む。ここでは発光ダイオードを含む発光モジュール５２２が導光板５２１の短辺側エッジに配置されることを例としたが、発光モジュール５２２の代わりに蛍光ランプが導光板５２１の短辺側エッジに配置される。
【００２６】
図２（ｃ）に示した光源部５３０は表示パネル２００の下に配置された導光板５３１及び導光板５３１の第１の端子辺側エッジに配置された第１の発光モジュール５３２及び導光板５３１の第２の端子辺側エッジに配置された第２の発光モジュール５３３を含む。第１の発光モジュール５３２及び第２の発光モジュール５３３の各々は光源を含み、光源は発光ダイオードＬＥＤを含む。ここでは第１の発光モジュール５３２及び第２の発光モジュール５３３が、導光板５３１の両短辺側に配置されることを例としたが、第１の発光モジュール５３２及び第２の発光モジュール５３３の代わりに蛍光ランプが導光板５３１の両短辺側に配置される。
【００２７】
図２（ｄ）に示した光源部５４０は表示パネル２００の下に配置された導光板５４１及び導光板５４１の長辺側エッジのうちいずれか一つに配置された発光モジュール５４２を含む。発光モジュール５４２は光源を含み、光源は発光ダイオードＬＥＤであってもよい。ここでは発光ダイオードを含む発光モジュール５４２が導光板５４１の長辺側エッジに配置されることを例としたが、発光モジュール５４２の代わりに蛍光ランプが導光板５４１の長辺側エッジに配置されてもよい。
【００２８】
図２（ｅ）に示した光源部５５０は表示パネル２００の下に配置された導光板５５１及び導光板５５１の第１の長辺側エッジに配置された第１の発光モジュール５５２及び導光板５５１の第２の長辺側エッジに配置された第２の発光モジュール５５３を含む。第１の発光モジュール５５２及び第２の発光モジュール５５３の各々は光源を含み、光源は発光ダイオードＬＥＤであってもよい。ここでは第１の発光モジュール５５２及び第２の発光モジュール５５３が導光板５５１の両長辺側に配置されることを例としたが、第１の発光モジュール５５２及び第２の発光モジュール５５３の代わりに蛍光ランプが導光板５５１の両長辺側に配置される。
【００２９】
光源駆動部６００は制御部１３０の制御に従って、光源部５００を全体的にターンオン及びターンオフする光源駆動信号を生成する。例えば、表示パネル２００に左眼画像または右眼画像が表示される区間に光源部５００を全体的にターンオンして表示パネル２００に光を照射する。一方、表示パネル２００に左眼画像及び右眼画像が共に表示される区間には光源部５００を全体的にターンオフして表示パネル２００に光を照射しない。従って、表示パネル２００に左眼画像と右眼画像が混在して表示される区間に光源部５００が全体的にターンオフされることによって観察者は左眼画像と右眼画像のクロストークが視認できなくなる。
【００３０】
メガネ部７００は左眼シャッタ７１０と右眼シャッタ７３０を含み、表示パネル２００に表示される画像に同期され、左眼シャッタ７１０及び右眼シャッタ７３０を選択的に開閉する。左眼シャッタ７１０及び右眼シャッタ７３０は液晶シャッタであってもよい。例えば、メガネ部７００は表示パネル２００に左眼画像が表示される区間に左眼シャッタ７１０を開いて右眼シャッタ７３０を閉じる。一方、メガネ部７００は表示パネル２００に右眼画像が表示される区間に右眼シャッタ７３０を開いて、左眼シャッタ７１０を閉じる。
【００３１】
図３は図１のデータ補正部を示すブロック図である。図４は図３のデータ補正部の駆動方法を示す概念図である。図５は図４に示した補正部のルックアップテーブルを示す概念図である。
【００３２】
図１、図３、図４及び図５を参照すれば、データ補正部１５０はフレーム検出部１５１、フレームメモリ１５３及び補正部１５５を含む。
【００３３】
フレーム検出部１５１は制御部１３０の制御に従ってフレーム制御部１２０で生成されたｋ個の画像のうちｎ番目画像を検出する。例えば、フレーム検出部１５１は受信した第１左眼画像Ｌ１、第２左眼画像Ｌ２、第３左眼画像Ｌ３及び第４左眼画像Ｌ４のうち設定された３番目画像である、第３左眼画像Ｌ３を検出する。また、フレーム検出部１５１は右眼用４つの画像のうち第３右眼画像Ｒ３を検出する。
【００３４】
フレームメモリ１５３はフレーム検出部１５１で検出されたｎ番目画像を保存する。つまり、フレームメモリ１５３に保存されたｎ番目画像は補正部１５５に以前フレームの基準データとして供給される。
【００３５】
補正部１５５は複数のルックアップテーブル（Ｌｏｏｋ  Ｕｐ  Ｔａｂｌｅ）ＬＵＴ１、ＬＵＴ２、…、ＬＵＴｋを含む。ルックアップテーブルは以前フレームＰＦの基準データと現在フレームＣＦの階調データによりマッピングされた補正データが保存される。補正部１５５はルックアップテーブルＬＵＴ１、ＬＵＴ２、…、ＬＵＴｋを利用して受信したｋ個の画像の補正データを出力する。補正部１５５はｋ個の画像に対応してｋ個のルックアップテーブルを利用して補正する。
【００３６】
以下、データ補正部１５０の駆動方法について説明する。
【００３７】
データ補正部１５０は４つの画像のうち３番目画像を以前フレームの基準データとして決定する場合、第１サブフレームＦ１、第２サブフレームＦ２、第３サブフレームＦ３及び第４サブフレームＦ４を含む第Ｎ区間に受信される第１左眼画像、第２左眼画像、第３左眼画像及び第４左眼画像それぞれの補正する過程について説明する。ここで、区間の周期は８ｍｓであり、サブフレーム周期は２ｍｓであってもよい。
【００３８】
第１左眼画像Ｌ１の階調データＧＬ１が受信されれば、補正部１５５は第１ルックアップテーブルＬＵＴ１を利用して第１左眼画像Ｌ１の階調データＧＬ１とフレームメモリ１５３に保存された以前フレームの基準データである、第（Ｎ−１）区間に受信した第３右眼画像Ｒ３の階調データＧＲ３にマッピングされた階調データＧＬＵＴ１を第１左眼画像Ｌ１の補正データＧＣＬ１として出力する。
【００３９】
次いで、第２左眼画像Ｌ２の階調データＧＬ２が受信されれば、補正部１５５は第２ルックアップテーブルＬＵＴ２を利用して第２左眼画像Ｌ２の階調データＧＬ２と第３右眼画像Ｒ３の階調データＧＲ３にマッピングされた階調データＧＬＵＴ２を第２左眼画像Ｌ２の補正データＧＣＬ２として出力する。
【００４０】
次いで、第３左眼画像Ｌ３の階調データＧＬ３が受信されれば、フレーム検出部１５１は第３左眼画像Ｌ３の階調データＧＬ３を以前フレームの基準データとして決定してフレームメモリ１５３に保存する。補正部１５５は第３ルックアップテーブルＬＵＴ３を利用して第３左眼画像Ｌ３の階調データＧＬ３と第３右眼画像Ｒ３の階調データＧＲ３にマッピングされた階調データＧＬＵＴ３を第３左眼画像Ｌ３の補正データＧＣＬ３として出力する。
【００４１】
次いで、第４左眼画像Ｌ４の階調データＧＬ４が受信されれば、補正部１５５は第４ルックアップテーブルＬＵＴ４を利用して第４左眼画像Ｌ４の階調データＧＬ４と第３右眼画像Ｒ３の階調データＧＲ３にマッピングされた階調データＧＬＵＴ４を第４左眼画像Ｌ４の補正データＧＣＬ４として出力する。
【００４２】
このような方式で、オーバードライビング（ｏｖｅｒｄｒｉｖｉｎｇ）された補正データまたはアンダードライビング（ｕｎｄｅｒｄｒｉｖｉｎｇ）された補正データをｋ回繰り返して液晶に印加することによって最終到達できる輝度レベルを向上させることができ、立体画像の表示品質を向上させることができる。
【００４３】
図６は図１に示した表示装置の駆動方法を示す概念図である。図１及び図６を参照すれば、表示パネル２００が１９２０×１０８０の解像度を有する。パネル駆動部３００はデータ補正部１５０で補正された４８０Ｈｚの第１左眼画像Ｌ１１、第２左眼画像Ｌ１２、第３左眼画像Ｌ１３、第４左眼画像Ｌ１４、及び第１右眼画像Ｒ１１、第２右眼画像Ｒ１２、第３右眼画像Ｒ１３及び第４右眼画像Ｒ１４を表示パネル２００に表示する。そこで、第１左眼画像Ｌ１１、第２左眼画像Ｌ１２、第３左眼画像Ｌ１３、第４左眼画像Ｌ１４はホワイト画像であり、第１右眼画像Ｒ１１、第２右眼画像Ｒ１２、第３右眼画像Ｒ１３及び第４右眼画像Ｒ１４はブラック画像であることを例として説明する。これによって、パネル駆動部３００がフレーム画像を表示パネル２００に表示するサブ区間は約２ｍｓであり、立体画像Ｌ１１、Ｌ１２、Ｌ１３、Ｌ１４、Ｒ１１、Ｒ１２、Ｒ１３、Ｒ１４を表示パネル２００に表示するメイン区間は約１６ｍｓであってもよい。
【００４４】
パネル駆動部３００はプログレッシブスキャン方式として、一つのサブ区間の間表示パネル２００の最初の水平ライン１ｓｔ  ＬＩＮＥから最後の水平ライン１０８０ｔｈ  ＬＩＮＥまで順次に画像データを供給する。
【００４５】
パネル駆動部３００は第１サブ区間Ｓ１に第１左眼画像Ｌ１１のデータ電圧を表示パネル２００に供給し、第２サブ区間Ｓ２に第２左眼画像Ｌ１２のデータを表示パネル２００に供給し、第３サブ区間Ｓ３に第３左眼画像Ｌ１３のデータを表示パネル２００に供給し、第４サブ区間Ｓ４に第４左眼画像Ｌ１４のデータを表示パネル２００に供給し、第５サブ区間Ｓ５に第１右眼画像Ｒ１１のデータを表示パネル２００に供給し、第６サブ区間Ｓ６に第２右眼画像Ｒ１２のデータを表示パネル２００に供給し、第７サブ区間Ｓ７に第３右眼画像Ｒ１３のデータを表示パネル２００に供給し、第８サブ区間Ｓ８に第４右眼画像Ｒ１４のデータを表示パネル２００に供給する。そこで、パネル駆動部３００はホワイト階調データを有する第１左眼画像Ｌ１１、第２左眼画像Ｌ１２、第３左眼画像Ｌ１３、第４左眼画像Ｌ１４に対応しハイデータ電圧ＨＶを出力し、ブラック階調データを有する第１右眼画像Ｒ１１、第２右眼画像Ｒ１２、第３右眼画像Ｒ１３及び第４右眼画像Ｒ１４に対応しローデータ電圧ＬＶを出力する。
【００４６】
プログレッシブスキャン方式に従って、特定サブ区間の表示パネル２００には左眼画像Ｌと右眼画像Ｒが共に表示される。例えば、第５サブ区間Ｓ５の初期に表示パネル２００の上部領域２１０は第１右眼画像Ｒ１１を表示し、表示パネル２００の中部領域２２０及び下部領域２３０は以前フレームの第４左眼画像Ｌ１４を表示する。第５サブ区間Ｓ５の中期に表示パネル２００の上部領域２１０及び中部領域２２０は第１右眼画像Ｒ１１を表示し、表示パネル２００の下部領域２３０は第４左眼画像Ｌ１４を表示する。第５サブ区間Ｓ５の後期に表示パネル２００の全般的な領域は第１右眼画像Ｒ１１を表示する。これと共に、第５サブ区間Ｓ５に表示パネル２００には第４左眼画像Ｌ１４と第１右眼画像Ｒ１１が共に表示される。
【００４７】
このように、表示パネル２００の駆動区間は、左眼画像または右眼画像のみを表示する第１区間Ｐ１１、左眼画像Ｌ及び右眼画像Ｒが混在して表示される第２区間Ｐ１２を有する。
【００４８】
表示パネル２００に含まれた液晶の応答速度を考慮すれば、第１区間Ｐ１１は実質的に表示パネル２００に、左眼画像Ｌまたは右眼画像Ｒのデータが供給される第２サブ区間Ｓ２〜第４サブ区間Ｓ４（または、第６サブ区間Ｓ６〜第８サブ区間Ｓ８）より短いこともあり、第２区間Ｐ１２は一つのサブ区間より長いこともある。第１区間Ｐ１１及び第２区間Ｐ１２は液晶の応答速度に従って異なって設定される。
【００４９】
表示パネル２００の駆動区間に同期されて、光源駆動部６００は表示パネル２００に光を照射する光源部５００を制御する光源駆動信号を生成する。光源駆動信号（ＬＤＳ：Ｌｉｇｈｔ  ｓｏｕｒｃｅ  Ｄｒｉｖｉｎｇ  Ｓｉｇｎａｌ）は表示パネル２００に左眼画像Ｌまたは右眼画像Ｒが表示される第１区間Ｐ１１には、光源部５００をターンオンさせ、表示ブロック２００に左眼画像Ｌ及び右眼画像Ｒが共に表示される第２区間Ｐ１２には光源部５００をターンオフさせる。結果的に、第１区間Ｐ１１に表示パネル２００に全体的に光を照射し、第２区間Ｐ１２に表示パネル２００に全体的に光を遮断する。
【００５０】
メガネ部７００は表示パネル２００の駆動に同期された左眼シャッタ信号（ＬＳＳ：Ｌｅｆｔ  Ｓｈｕｔｔｅｒ  Ｓｉｇｎａｌ）及び右眼シャッタ信号（ＲＳＳ：Ｒｉｇｈｔ  Ｓｈｕｔｔｅｒ  Ｓｉｇｎａｌ）に基づいて左眼シャッタ７１０及び右眼シャッタ７３０を開閉する。例えば、左眼シャッタ信号ＬＳＳは表示パネル２００に左眼画像Ｌが表示される４つのサブ区間、つまり、第１サブ区間Ｓ１の一部から第５サブ区間Ｓ５の一部まで左眼シャッタ７１０は開き、表示パネル２００に右眼画像Ｒが表示される４つのサブ区間、つまり、第５サブ区間Ｓ５の一部から第９サブ区間Ｓ９の一部まで左眼シャッタ７１０を閉じる。右眼シャッタ信号ＲＳＳは表示パネル２００に左眼画像Ｌが表示される４つのサブ区間、つまり、第１サブ区間Ｓ１の一部から第５サブ区間Ｓ５の一部まで右眼シャッタ７３０を閉じ、表示パネル２００に右眼画像Ｒが表示される４つのサブ区間、つまり、第５サブ区間Ｓ５の一部から第９サブ区間Ｓ９の一部まで右眼シャッタ７３０を開く。これによって、表示パネル２００に左眼画像Ｌまたは右眼画像Ｒが表示される区間にのみ、光源部５００は表示パネル２００に光を照射するので観察者は左眼画像Ｌと右眼画像Ｒとの間のクロストークが視認できない。
【００５１】
図７は本発明の他の実施形態に係るフレーム制御部を示す概念図である。図１及び図７を参照すれば、表示装置は図１に示した表示装置と比較する時、フレーム制御部１２０Ａを除いては実質的に同一であるため繰り返される説明は省略する。
【００５２】
フレーム制御部１２０Ａは左眼画像Ｌ及び右眼画像Ｒを受信する。フレーム制御部１２０Ａは左眼画像Ｌを利用して左眼用ｋ個の画像を出力し、右眼画像Ｒを利用して右眼用ｋ個の画像を出力するが、左眼用画像ｋ個及び右眼用画像ｋ個のうち、ｉ個はブラック画像に置き換える。ここで、ｋは、２以上の自然数であり、ｉは０より大きくｋより小さい自然数である。フレーム制御部１２０Ａはｋが３であり、ｉが１の場合に対する例として、左眼画像Ｌを３回繰り返して３個の左眼画像と一つのブラック画像を生成し、右眼画像Ｒを３回繰り返して３個の右眼画像と一つのブラック画像を生成する。
【００５３】
ブラック画像Ｂを左眼画像Ｌと右眼画像Ｒとの間に挿入することによって、液晶の遅いフォーリング（ｆａｌｌｉｎｇ）応答特性が補償できる時間を確保する。これによって、光源部６００をターンオンする光源駆動信号のデューティ比を変更させて輝度効率を向上させることができる。
【００５４】
図８は図７のフレーム制御部を含む表示装置の駆動方法を示す概念図である。
【００５５】
図１、図７及び図８を参照すれば、表示パネル２００は１９２０×１０８０の解像度を有する。パネル駆動部３００はデータ補正部１５０で補正された４８０Ｈｚの第１左眼画像Ｌ１１、第２左眼画像Ｌ２、第３左眼画像Ｌ１３、第１ブラック画像Ｂ１１、第１右眼画像Ｒ１１、第２右眼画像Ｒ１２、第３右眼画像Ｒ１３及び第２ブラック画像Ｂ１２に基づいて表示パネル２００に表示する。これに従って、パネル駆動部３００が一つのフレーム画像を表示パネル２００に表示するサブ区間の時間は約２ｍｓであり、立体画像Ｌ１１、Ｌ１２、Ｌ１３、Ｂ１１、Ｒ１１、Ｒ１２、Ｒ１３、Ｂ１２を表示パネル２００に表示するメイン区間の時間は約１６ｍｓであってもよい。パネル駆動部３００はプログレッシブスキャン方式で、一つのサブ区間の間表示パネル２００の最初の水平ライン１ｓｔ  ＬＩＮＥから最後の水平ライン１０８０ｔｈ  ＬＩＮＥまで順次に画像データを供給する。パネル駆動部３００は第１サブ区間Ｓ１に第１左眼画像Ｌ１１のデータを表示パネル２００に供給し、第２サブ区間Ｓ２に第２左眼画像Ｌ１２のデータを表示パネル２００に供給し、第３サブ区間Ｓ３に第３左眼画像Ｌ１３のデータを表示パネル２００に供給し、第４サブ区間Ｓ４に第１ブラック画像Ｂ１１のデータを表示パネル２００に供給し、第５サブ区間Ｓ５に第１右眼画像Ｒ１１のデータを表示パネル２００に供給し、第６サブ区間Ｓ６に第２右眼画像Ｒ１２のデータを表示パネル２００に供給し、第７サブ区間Ｓ７に第３右眼画像Ｒ１３のデータを表示パネル２００に供給し、第８サブ区間Ｓ８に第２ブラック画像Ｂ１２のデータを表示パネル２００に供給する。
【００５６】
第５サブ区間Ｓ５を調べれば、第５サブ区間Ｓ５に第１右眼画像Ｒ１１のデータが表示パネル２００の最初から最後の水平ライン１ｓｔ  ＬＩＮＥ〜１０８０ｔｈ  ＬＩＮＥに順次に供給される。第５サブ区間Ｓ５の初期には、表示パネル２００の上部領域２１０は以前フレームの第１ブラック画像Ｂ１１から第１右眼画像Ｒ１１に変化し、表示パネル２００の残り領域２２０、２３０にはフレームの第１ブラック画像Ｂ１１が表示される。第５サブ区間Ｓ５の中期には表示パネル２００の上部領域２１０は第１右眼画像Ｒ１１が表示され、中部領域２２０は第１ブラック画像Ｂ１１から第１右眼画像Ｒ１１に変化していて、下部領域２３０は第１ブラック画像Ｂ１１が表示される。第５サブ区間Ｓ５の後期には表示パネル２００の上部領域２１０及び中部領域２２０は第１右眼画像Ｒ１１が表示され、下部領域２３０は第１ブラック画像Ｂ１１から第１右眼画像Ｒ１１に変化している。
【００５７】
第１ブラック画像Ｂ１１は第３左眼画像Ｌ１３と第１右眼画像Ｒ１１との間に挿入されて第３左眼画像Ｌ１３が表示された表示パネル２００をブラック状態にリセットさせることによってクロストークの最悪の条件である第１右眼画像Ｒ１１のデータ値がブラックの場合に対して液晶のフォーリング応答時間をさらに１フレーム確保することによって表示パネル２００に左眼画像Ｌまたは右眼画像Ｒが表示される第１区間Ｐ２１を増加させる。反対に液晶の遅いフォーリング応答特性によって表示パネル２００に第３左眼画像Ｌ１３から第１右眼画像Ｒ１１に変化する過度画像を表示する第２区間Ｐ２２を短縮させる。第１区間Ｐ２１及び第２区間Ｐ２２は液晶の応答速度に従って異なって設定される。
【００５８】
本実施形態によれば、第１区間Ｐ２１は図６に示した第１区間Ｐ１１より長くなり、反面、第２区間Ｐ２２は図６に示した第２区間Ｐ１２より短くなる。
【００５９】
表示パネル２００の駆動区間に同期されて、光源駆動部６００は光源部５００を駆動する光源駆動信号ＬＤＳを生成する。光源駆動信号ＬＤＳは表示パネル２００に左眼画像Ｌまたは右眼画像Ｒが表示される第１区間Ｐ２１に光源部５００をターンオンさせ、表示パネル２００に左眼画像Ｌ及び右眼画像Ｒが共に表示される第２区間Ｐ２２に光源部５００をターンオフさせる。これによって、光源駆動信号のデューティ比が図６に示した光源駆動信号のデューティ比より長くなってこれに伴い、輝度効率を向上させることができる。
【００６０】
メガネ部７００は表示パネル２００の駆動に同期された左眼シャッタ信号ＬＳＳ及び右眼シャッタ信号ＲＳＳに基づいて左眼シャッタ７１０及び右眼シャッタ７３０を開閉する。左眼シャッタ信号ＬＳＳは表示パネル２００に左眼画像Ｌが表示される４つのサブ区間、即ち、第１サブ区間Ｓ１の一部から第５サブ区間Ｓ５の一部まで左眼シャッタ７１０は開き、表示パネル２００に右眼画像Ｒが表示される４つのサブ区間、つまり、第５サブ区間Ｓ５の一部から第９サブ区間Ｓ９の一部まで左眼シャッタ７１０を閉じる。右眼シャッタ信号ＲＳＳは表示パネル２００に左眼画像Ｌが表示される４つのサブ区間、即ち、第１サブ区間Ｓ１の一部から第５サブ区間Ｓ５の一部まで右眼シャッタ７３０を閉じ、表示パネル２００に右眼画像Ｒが表示される４つのサブ区間、即ち、第５サブ区間Ｓ５の一部から第９サブ区間Ｓ９の一部まで右眼シャッタ７３０を開く。
【００６１】
これに従って、光源部５００は表示パネル２００に左眼画像Ｌまたは右眼画像Ｒが表示される区間にのみ表示パネル２００に光を照射するので観察者は左眼画像Ｌと右眼画像Ｒとの間のクロストークが視認できない。また、左眼画像Ｌと右眼画像Ｒとの間にブラック画像Ｂを挿入することによって輝度効率を向上させることができる。
【００６２】
図９は本発明の他の実施形態に係る表示装置を示すブロック図である。図１０（ａ）及び図１０（ｂ）は図９の光源部の例を示すブロック図である。
【００６３】
図９を参照すれば、表示装置は立体画像処理部１１０、フレーム制御部１２０、制御部１３０、データ補正部１５０、表示パネル２００、パネル駆動部３００、光源部５００Ａ、光源駆動部６００Ａ、及びメガネ部７００を含む。
【００６４】
図９を参照すれば、本実施形態に係る表示装置は図１に示した表示装置と比較する時、光源部５００Ａ及び光源駆動部６００Ａを除いては実質的に同一であるため、繰り返される説明は省略する。
【００６５】
光源部５００Ａは複数の発光ダイオードＬＥＤを含み、表示パネル２００の真下に配置された直下型構造を有する。発光ダイオードは表示パネル２００にフレーム画像が表示されるスキャン方向に配列された複数の発光ブロックＬＢ１、ＬＢ２、ＬＢ３、…、ＬＢｍと定義される。ここで、ｍは自然数である。光源部５００Ａは複数の蛍光ランプを含み、蛍光ランプは発光ブロックに対応してスキャン方向に配置される。
【００６６】
また、本実施形態に係る表示装置は、図１０（ａ）及び図１０（ｂ）に示した光源部の各々を含む。
【００６７】
図１０（ａ）に示した光源部５１１Ａは、導光板５１１ａ及び導光板５１１ａの短辺側エッジ（ｅｄｇｅ）に配置された発光モジュール５１２ａを含む。発光モジュール５１２ａは複数の発光ダイオードＬＥＤが実装され、スキャン方向に配列された複数の発光ブロックＬＢ１、ＬＢ２、ＬＢ３、…、ＬＢｍとして定義される。
【００６８】
図１０（ｂ）に示した光源部５２０Ａは、導光板５２１ａ及び導光板５２１ａの第１の端子辺側エッジに配置された第１の発光モジュール５２２ａ及び導光板５２１ａの第２の端子辺側エッジに配置された第２の発光モジュール５２３ａを含む。第１の発光モジュール５２２ａは複数の発光ダイオードＬＥＤが実装され、スキャン方向に配列されたｍ個の発光ブロックＬＢ１、ＬＢ２、ＬＢ３、…、ＬＢｍを含む。第２の発光モジュール５２３ａは複数の発光ダイオードＬＥＤが実装され、第１の発光モジュール５２２ａのｍ個の発光ブロックＬＢ１、ＬＢ２、ＬＢ３、…、ＬＢｍと各々対向するｍ個の発光ブロックＬＢ１、ＬＢ２、ＬＢ３、…、ＬＢｍを含む。第２の発光モジュール５２３ａのｍ個の発光ブロックＬＢ１、ＬＢ２、ＬＢ３、…、ＬＢｍの各々は互いに向き合う第１の発光モジュール５２２ａのｍ個の発光ブロックＬＢ１、ＬＢ２、ＬＢ３、…、ＬＢｍに同期されて駆動される。例えば、第１の発光モジュール５２２ａの第１の発光ブロックＬＢ１と第２の発光モジュール５２３ａの第１の発光ブロックＬＢ１は互いに同期された光源駆動信号によって駆動される。
【００６９】
光源駆動部６００Ａは発光ブロックＬＢ１、ＬＢ２、Ｂ３、…、ＬＢｍを駆動するｍ個の光源駆動信号を生成する。例えば、表示パネル２００は発光ブロックＬＢ１、ＬＢ２、ＬＢ３、…、ＬＢｍに対応してｍ個の表示ブロックＤＢ１、ＤＢ２、ＤＢ３、…、ＤＢｍが定義される。光源駆動部６００Ａは第１の発光ブロックＬＢ１に対応する第１表示ブロックＤＢ１に、左眼画像Ｌまたは右眼画像Ｒが表示される第１区間に第１の発光ブロックＬＢ１をターンオンさせ、第１表示ブロックＤＢ１に左眼画像Ｌ及び右眼画像Ｒが混在している混合画像が表示される第２区間に第１の発光ブロックＬＢ１をターンオフさせる第１光源駆動信号を生成する。同一方式で、光源駆動部６００Ａはｍ個の光源駆動信号を生成する。
【００７０】
図１１は図９の表示装置の駆動方法を示す概念図である。図９及び図１１を参照すれば、表示パネル２００が１９２０×１０８０の解像度を有する。パネル駆動部３００はデータ補正部１５０で補正した４８０Ｈｚの第１左眼画像Ｌ１１、第２左眼画像Ｌ１２、第３左眼画像Ｌ１３、第４左眼画像Ｌ１４及び第１右眼画像Ｒ１１、第２右眼画像Ｒ１２、第３右眼画像Ｒ１３及び第４右眼画像Ｒ１４を表示パネル２００に表示する。これによって、パネル駆動部３００が一つのフレーム画像を表示パネル２００に表示するサブ区間は約２ｍｓであり、立体画像Ｌ１１、Ｌ１２、Ｌ１３、Ｌ１４、Ｒ１１、Ｒ１２、Ｒ１３、Ｒ１４を表示パネル２００に表示するメイン区間は約１６ｍｓであってもよい。パネル駆動部３００はプログレッシブスキャン方式で、一つのサブ区間の間表示パネル２００の最初の水平ライン１ｓｔ  ＬＩＮＥから最後の水平ライン１０８０ｔｈ  ＬＩＮＥまで順次に画像データを供給する。
【００７１】
表示パネル２００の第１表示ブロックＤＢ１に含まれた最初の水平ライン１ｓｔ  ＬＩＮＥを調べれば、第５〜第８サブ区間Ｓ５、Ｓ６、Ｓ７、Ｓ８に右眼画像Ｒ１１、Ｒ１２、Ｒ１３、Ｒ１４のデータが供給される。第１表示ブロックＤＢ１の駆動区間は左眼画像Ｌまたは右眼画像Ｒのみが表示される第１区間Ｐ３１と左眼画像Ｌと右眼画像Ｒが混在して表示される第２区間Ｐ３２を有する。よって液晶の応答速度に従って、最初の水平ライン１ｓｔ  ＬＩＮＥは第５サブ区間Ｓ５から一定区間まで、つまり、第２区間Ｐ３２には以前フレームの第４左眼画像Ｌ１４から第１右眼画像Ｒ１１に変化する区間で第４左眼画像Ｌ１４と第１右眼画像Ｒ１１が混在された混合画像が表示される。最初の水平ライン１ｓｔ  ＬＩＮＥは、一定区間以後から第８サブ区間Ｓ８まで、つまり、第１区間Ｐ３１には右眼画像Ｒ１１、Ｒ１２、Ｒ１３、Ｒ１４を表示する。第１区間Ｐ３１及び第２区間Ｐ３２は液晶の応答速度によって異なって設定される。
【００７２】
第１表示ブロックＤＢ１の駆動区間に同期されて、光源駆動部６００Ａは第１表示ブロックＤＢ１に対応する第１の発光ブロックＬＢ１に供給する第１光源駆動信号ＬＤＳ１を生成する。即ち、第１光源駆動信号ＬＤＳ１は第１表示ブロックＤＢ１が右眼画像Ｒ１１、Ｒ１２、Ｒ１３、Ｒ１４を表示する第１区間Ｐ３１には第１の発光ブロックＬＢ１をターンオンさせ、第１表示ブロックＤＢ１が混合画像を表示する第２区間Ｐ３２には第１の発光ブロックＬＢ１をターンオフさせる。
【００７３】
このような方式で、光源駆動部６００Ａは第２〜第８表示ブロックＤＢ２、ＤＢ３、…、ＤＢ８に表示される画像に同期された第２〜第８光源駆動信号ＬＤＳ２、ＬＤＳ３、…、ＬＤＳ８を生成して第２〜第８発光ブロックＬＢ２、ＬＢ３、…、ＬＢ８を制御する。
【００７４】
ここでは、各表示ブロックの最初の水平ラインに表示される画像に同期させて、発光ブロックを制御する光源駆動信号を生成することを例としたが、表示ブロックの複数の水平ラインのうち、中間の水平ラインに表示される画像、または、最後の水平ラインに表示される画像に同期させて光源駆動信号を生成する。結果的に、表示ブロックに表示される画像に同期させて発光ブロックを制御する光源駆動信号を生成する。
【００７５】
一方、メガネ部７００は表示パネル２００の駆動に同期された左眼シャッタ信号ＬＳＳ及び右眼シャッタ信号ＲＳＳに基づいて左眼シャッタ７１０及び右眼シャッタ７３０を開閉する。第１〜第８表示ブロックＤＢ１、ＤＢ２、…、ＤＢ８に混合画像を表示する第２区間Ｐ３２の区間に該当するサブ区間Ｓ１、Ｓ２、Ｓ３の一部分から次の混合画像を表示する第２区間Ｐ３２の区間に該当するサブ区間Ｓ５、Ｓ６、Ｓ７の一部分までの区間に、左眼シャッタ７１０を開き、混合画像を表示する第２区間Ｐ３２の区間に該当するサブ区間Ｓ５、Ｓ６、Ｓ７の一部分から次の混合画像を表示する第２区間Ｐ３２の区間に該当するサブ区間Ｓ９、Ｓ１０、Ｓ１１の一部分までの区間に左眼シャッタ７１０を閉じる。右眼シャッタ信号ＲＳＳは、第１〜第８表示ブロックＤＢ１、ＤＢ２、…、ＤＢ８に混合画像を表示する第２区間Ｐ３２の区間に該当するサブ区間Ｓ１、Ｓ２、Ｓ３の一部分から次の混合画像を表示する第２区間Ｐ３２の区間に該当するサブ区間Ｓ５、Ｓ６、Ｓ７の一部分までの区間に右眼シャッタ７３０を閉じ、混合画像を表示する第２区間Ｐ３２の区間に該当するサブ区間Ｓ５、Ｓ６、Ｓ７の一部分から次の混合画像を表示する第２区間Ｐ３２の区間に該当するサブ区間Ｓ９、Ｓ１０、Ｓ１１の一部分までの区間に右眼シャッタ７３０を開く。
【００７６】
これによって、表示パネル２００に左眼画像Ｌまたは右眼画像Ｒが表示される区間に表示パネル２００に光が照射されるので観察者は左眼画像Ｌと右眼画像Ｒとの間のクロストークが視認できない。
【００７７】
図１２は本発明の他の実施形態に係る表示装置の駆動方法を示す概念図である。図１２を参照すれば、本実施形態に係る表示装置は、図９に示した表示装置と比較する時、フレーム制御部を除いては実質的に同一であり、本実施形態に係るフレーム制御部は、図７に示したフレーム制御部１２０Ａと実質的に同一である。そのため、繰り返される詳細な説明は省略する。
【００７８】
以下、図９及び図１２を参照して本実施形態に係る表示装置の駆動方法を説明する。
【００７９】
表示パネル２００は、１９２０×１０８０の解像度を有する。パネル駆動部３００はデータ補正部１５０で補正された４８０Ｈｚの第１左眼画像Ｌ１１、第２左眼画像Ｌ１２、第３左眼画像Ｌ１３、第１ブラック画像Ｂ１１、第１右眼画像Ｒ１１、第２右眼画像Ｒ１２、第３右眼画像Ｒ１３及び第２ブラック画像Ｂ１２を表示パネル２００に表示する。これに従って、パネル駆動部３００が一つのフレーム画像を表示パネル２００に表示するサブ区間は約２ｍｓであり、立体画像Ｌ１１、Ｌ１２、Ｌ１３、Ｂ１１、Ｒ１１、Ｒ１２、Ｒ１３、Ｂ１２を表示パネル２００に表示するメイン区間は約１６ｍｓであってもよい。
【００８０】
表示パネル２００の第１表示ブロックＤＢ１に含まれた最初の水平ライン１ｓｔ  ＬＩＮＥを調べれば、第４サブ区間Ｓ４に第１ブラック画像Ｂ１１のデータが供給される。以後、第５〜第７サブ区間Ｓ５、Ｓ６、Ｓ７に右眼画像Ｒ１１、Ｒ１２、Ｒ１３のデータが最初の水平ライン１ｓｔ  ＬＩＮＥに供給される。
【００８１】
最初の水平ライン１ｓｔ  ＬＩＮＥは、第４サブ区間Ｓ４の間、以前フレームの第３左眼画像Ｌ１３が第１ブラック画像Ｂ１１に変化する。最初の水平ライン１ｓｔ  ＬＩＮＥは、第１右眼画像Ｒ１１のデータが供給される第５サブ区間Ｓ５から一定区間まで、即ち、第２区間Ｐ４２に第１右眼画像Ｒ１１に変化する。最初の水平ライン１ｓｔ  ＬＩＮＥは一定区間から第８サブ区間Ｓ８まで、即ち、第１区間Ｐ４１に右眼画像Ｒ１１、Ｒ１２、Ｒ１３を表示する。
【００８２】
第２区間Ｐ４２は第１ブラック画像Ｂ１１から第１右眼画像Ｒ１１に変化する区間であり、図１１に示した第２区間Ｐ３２、即ち、第４左眼画像Ｌ１４から第１右眼画像Ｒ１１に変化する区間より短い。結果的に、最初の水平ライン１ｓｔ  ＬＩＮＥに、第１右眼画像Ｒ１１を表示する第１区間Ｐ４１が長くなる。本実施形態によれば、第１区間Ｐ４１は図１１に示した第１区間Ｐ３１より長くなり、反面第２区間Ｐ４２は図１１に示した第２区間Ｐ３２より短くなる。第１区間Ｐ４１及び第２区間Ｐ４２は、液晶の応答速度によって異なって設定される。
【００８３】
第１表示ブロックＤＢ１の駆動区間に同期されて、光源駆動部６００Ａは第１表示ブロックＤＢ１に対応する第１の発光ブロックＬＢ１に供給する第１光源駆動信号ＬＤＳ１を生成する。即ち、第１光源駆動信号ＬＤＳ１は第１表示ブロックＤＢ１が右眼画像Ｒ１１、Ｒ１２、Ｒ１３を表示する第１区間Ｐ４１には、第１の発光ブロックＬＢ１をターンオンさせ、第１表示ブロックＤＢ１が混合画像を表示する第２区間Ｐ４２には、第１の発光ブロックＬＢ１をターンオフさせる。
【００８４】
このような方式で、光源駆動部６００Ａは第２〜第８表示ブロックＤＢ２、ＤＢ３、…、ＤＢ８に表示される画像に同期された第２〜第８光源駆動信号ＬＤＳ２、ＬＤＳ３、…、ＬＤＳ８を生成して第２〜第８発光ブロックＬＢ２、ＬＢ３、…、ＬＢ８を制御する。
【００８５】
ここでは、各表示ブロックの最初の水平ラインに表示される画像に同期させて、発光ブロックを制御する光源駆動信号を生成することを例としたが、表示ブロックの複数の水平ラインのうち、中間の水平ラインに表示される画像、または、最後の水平ラインに表示される画像に同期させて、光源駆動信号を生成することができる。結果的に、表示ブロックに表示される画像に同期させて、発光ブロックを制御する光源駆動信号を生成することができる。
【００８６】
メガネ部７００は表示パネル２００の駆動に同期された左眼シャッタ信号ＬＳＳ及び右眼シャッタ信号ＲＳＳに基づいて左眼シャッタ７１０及び右眼シャッタ７３０を開閉する。左眼シャッタ信号ＬＳＳは第１〜第８表示ブロックＤＢ１、ＤＢ２、…、ＤＢ８に混合画像を表示する第２区間Ｐ４２の区間に該当するサブ区間Ｓ１、Ｓ２、Ｓ３の一部分から次の混合画像を表示する第２区間Ｐ４２の区間に該当するサブ区間Ｓ５、Ｓ６、Ｓ７の一部分までの区間に左眼シャッタ７１０を開き、混合画像を表示する第２区間Ｐ４２の区間に該当するサブ区間Ｓ５、Ｓ６、Ｓ７の一部分から次の混合画像を表示する第２区間Ｐ４２の区間に該当するサブ区間Ｓ９、Ｓ１０、Ｓ１１の一部分までの区間に左眼シャッタ７１０を閉じる。右眼シャッタ信号ＲＳＳは第１〜第８表示ブロックＤＢ１、ＤＢ２、…、ＤＢ８に混合画像を表示する第２区間Ｐ４２の区間に該当するサブ区間Ｓ１、Ｓ２、Ｓ３の一部分から次の混合画像を表示する第２区間Ｐ４２の区間に該当するサブ区間Ｓ５、Ｓ６、Ｓ７の一部分までの区間に右眼シャッタ７３０を閉じ、混合画像を表示する第２区間Ｐ４２の区間に該当するサブ区間Ｓ５、Ｓ６、Ｓ７の一部分から次の混合画像を表示する第２区間Ｐ４２の区間に該当するサブ区間Ｓ９、Ｓ１０、Ｓ１１の一部分までの区間に右眼シャッタ７３０を開く。
【００８７】
これに従って、表示パネル２００に左眼画像Ｌまたは右眼画像Ｒが表示される区間に表示パネル２００に光が照射されるので、観察者は左眼画像Ｌと右眼画像Ｒとの間のクロストークが視認できない。
【００８８】
ブラック画像を左眼画像と右眼画像の間に挿入することによって、液晶の遅い応答特性に従って以前の左眼画像に対して現在の右眼画像が表示される時間を短縮させる。これによって、光源部６００Ａをターンオンする光源駆動信号のデューティ比を増加させて輝度効率を向上させることができる。
【００８９】
図１３は本発明の他の実施形態に係る表示装置を示すブロック図である。図１３を参照すれば、表示装置は立体画像処理部１１０、フレーム制御部１２０、制御部１３０、データ補正部１５０、表示パネル２００、パネル駆動部３００、光源部５００Ｂ、光源駆動部６００Ｂ、及びメガネ部７００を含む。
【００９０】
図１３を参照すれば、本実施形態に係る表示装置は図１に示した表示装置と比較する時、光源部５００Ｂ及び光源駆動部６００Ｂを除いては実質的に同一であるため、繰り返される説明は省略する。
【００９１】
光源部５００Ｂは第１の発光モジュール５１６、第２の発光モジュール５１７及び導光板５２１を含む。第１の発光モジュール５１６は、複数の発光ダイオードＬＥＤが実装され、画像のスキャン方向と交差する方向を有する導光板５２１の第１の角側に配置される。第２の発光モジュール５１７は複数の発光ダイオードＬＥＤが実装され、導光板５２１の第１の角側と対向する第２の角側に配置される。結果的に、第１の発光モジュール５１６は表示パネル２００の上側に配置し、第２の発光モジュール５１７は表示パネル２００の下側に配置される。
【００９２】
光源部５００Ｂは、第１蛍光ランプ及び第２蛍光ランプを含み、第１蛍光ランプ及び第２蛍光ランプは、導光板５２１の第１角側及び第２の角側に配置される。
【００９３】
光源駆動部６００Ｂは、第１の発光モジュール５１６及び第２の発光モジュール５１７を駆動する第１光源駆動信号及び第２光源駆動信号を生成する。例えば、表示パネル２００は、第１の発光モジュール５１６及び第２の発光モジュール５１７に対応して第１表示ブロックＤＢ１及び第２表示ブロックＤＢ２として定義される。光源駆動部６００Ｂは第１表示ブロックＤＢ１に左眼画像（または、右眼画像）が表示されれば、第１の発光モジュール５１６をターンオンし、第１表示ブロックＤＢ１に左眼画像及び右眼画像が共に表示されれば、第１の発光モジュール５１６をターンオフする第１光源駆動信号を生成する。また、光源駆動部６００Ｂは第２表示ブロックＤＢ２に左眼画像（または、右眼画像）が表示されれば、第２の発光モジュール５１７をターンオンし、第２表示ブロックＤＢ２に左眼画像及び右眼画像が共に表示されれば第２の発光モジュール５１７をターンオフする第２光源駆動信号を生成する。結果的に光源部５００Ｂは光源駆動部６００Ｂの制御に従って駆動する。
【００９４】
図１４は図１３の表示装置の駆動方法を示す概念図である。図１３及び図１４を参照すれば、記表示パネル２００が１９２０×１０８０の解像度を有する。パネル駆動部３００はデータ補正部１５０で補正された４８０Ｈｚの第１左眼画像Ｌ１１、第２左眼画像Ｌ１２、第３左眼画像Ｌ１３、第４左眼画像Ｌ１４、及び、第１右眼画像Ｒ１１、第２右眼画像Ｒ１２、第３右眼画像Ｒ１３及び第４右眼画像Ｒ１４を表示パネル２００に表示する。これによって、パネル駆動部３００が一つのフレーム画像を表示パネル２００に表示するサブ区間は約２ｍｓであり、立体画像Ｌ１１、Ｌ１２、Ｌ１３、Ｌ１４、Ｒ１１、Ｒ１２、Ｒ１３、Ｒ１４を表示パネル２００に表示するメイン区間は約１６ｍｓであってもよい。パネル駆動部３００はプログレッシブスキャン方式で、一つのサブ区間の間表示パネル２００の最初の水平ライン１ｓｔ  ＬＩＮＥから最後の水平ライン１０８０ｔｈ  ＬＩＮＥまで順次に画像データを供給する。
【００９５】
第１表示ブロックＤＢ１の最初の水平ライン１ｓｔ  ＬＩＮＥを調べれば、第５〜第８サブ区間Ｓ５、Ｓ６、Ｓ７、Ｓ８に、右眼画像Ｒ１１、Ｒ１２、Ｒ１３、Ｒ１４のデータが供給される。第１表示ブロックＤＢ１の駆動区間は左眼画像Ｌまたは右眼画像Ｒのみが表示される第１区間Ｐ５１、及び、左眼画像Ｌと右眼画像Ｒが混在されて表示される第２区間Ｐ５２を有する。これに液晶の応答速度に従って、最初の水平ライン１ｓｔ  ＬＩＮＥは、第５サブ区間Ｓ５から一定区間まで、即ち、第２区間Ｐ５２には以前フレームの第４左眼画像Ｌ１４から第１右眼画像Ｒ１１に変化する。これによって、最初の水平ライン１ｓｔ  ＬＩＮＥは、第４左眼画像Ｌ１４と第１右眼画像Ｒ１１が混在した画像が表示される。最初の水平ライン１ｓｔ  ＬＩＮＥは一定区間から第８サブ区間Ｓ８まで、即ち、第１区間Ｐ５１には、右眼画像Ｒ１１、Ｒ１２、Ｒ１３、Ｒ１４を表示する。
【００９６】
一方、第２表示ブロックＤＢ２の最後の水平ライン１０８０ｔｈ  ＬＩＮＥを調べれば、概略第６サブ区間Ｓ６から第９サブ区間Ｓ９まで、右眼画像Ｒ１１、Ｒ１２、Ｒ１３、Ｒ１４のデータが供給される。第２表示ブロックＤＢ２の駆動区間は、左眼画像Ｌまたは右眼画像Ｒのみが表示される第３区間Ｐ５３、及び、左眼画像Ｌと右眼画像Ｒが混在して表示される第４区間Ｐ５４を有する。それに液晶の応答速度に従って、最後の水平ライン１０８０ｔｈ  ＬＩＮＥは、第６サブ区間Ｓ６から一定区間まで、即ち、第４区間Ｐ５４には、以前フレームの第４左眼画像Ｌ１４から第１右眼画像Ｒ１１に変化する。
【００９７】
これによって、最後の水平ライン１０８０ｔｈ  ＬＩＮＥは、第４左眼画像Ｌ１４と第１右眼画像Ｒ１１が混在した混合画像が表示される。最後の水平ライン１０８０ｔｈ  ＬＩＮＥは、一定区間から第９サブ区間Ｓ９まで、即ち、第３区間Ｐ５３には右眼画像Ｒ１１、Ｒ１２、Ｒ１３、Ｒ１４を表示する。第１区間Ｐ５１、第２区間Ｐ５２、第３区間Ｐ５３及び第４区間Ｐ５４は、液晶の応答速度によって異なって設定される。
【００９８】
光源駆動部６００Ｂは、第１表示ブロックＤＢ１及び第２表示ブロックＤＢ２の駆動区間に対応する第１の発光モジュール５１６及び第２の発光モジュール５１７に供給される第１光源駆動信号ＬＤＳ１及び第２光源駆動信号ＬＤＳ２を生成する。第１光源駆動信号ＬＤＳ１は、第１表示ブロックＤＢ１の最初の水平ライン１ｓｔ  ＬＩＮＥに表示される画像に同期され、第１右眼画像Ｒ１１を表示する第１区間Ｐ５１には第１の発光モジュール５１６をターンオンさせ、第１表示ブロックＤＢ１が混合画像を表示する第２区間Ｐ５２には、第１の発光モジュール５１６をターンオフさせる。第２光源駆動信号ＬＤＳ２は第２表示ブロックＤＢ２の最後の水平ライン１０８０ｔｈ  ＬＩＮＥに表示される画像に同期され、第１右眼画像Ｒ１１を表示する第３区間Ｐ５３には第２の発光モジュール５１７をターンオンさせ、第２表示ブロックＤＢ２が混合画像を表示する第４区間Ｐ５４には、第２の発光モジュール５１７をターンオフさせる。
【００９９】
ここでは、第１の発光モジュール５１６と最も隣接した第１表示ブロックＤＢ１の最初の水平ラインに表示される画像に同期させて第１の発光モジュール５１６を制御する第１光源駆動信号を生成することを例としたが、第１表示ブロックＤＢ１の水平ラインのうち、いずれか一つの水平ラインに表示される画像に同期させて、第１光源駆動信号を生成することができる。また、第２の発光モジュール５１７と最も隣接した第２表示ブロックＤＢ２の最後の水平ラインに表示される画像に同期させて、第２の発光モジュール５１７を制御する第２光源駆動信号を生成することを例としたが、第２表示ブロックＤＢ２の水平ラインのうちいずれか一つの水平ラインに表示される画像に同期させて、第２光源駆動信号を生成することができる。結果的に、表示ブロックに表示される画像に同期させて、発光モジュールを制御する光源駆動信号を生成することができる。
【０１００】
一方、メガネ部７００は表示パネル２００の駆動に同期された左眼シャッタ信号ＬＳＳ及び右眼シャッタ信号ＲＳＳに基づいて左眼シャッタ７１０及び右眼シャッタ７３０を開閉する。左眼シャッタ信号ＬＳＳは第１表示ブロックＤＢ１及び第２表示ブロックＤＢ２に混合画像を表示する第２区間Ｐ５２、Ｐ５４に該当するサブ区間Ｓ１、Ｓ２、Ｓ３の一部分から次の混合画像を表示する第２区間Ｐ５２、Ｐ５４に該当するサブ区間Ｓ５、Ｓ６、Ｓ７の一部分までの区間に左眼シャッタ７１０を開き、混合画像を表示する第２区間Ｐ５２、Ｐ５４に該当するサブ区間Ｓ５、Ｓ６、Ｓ７の一部分から次の混合画像を表示する第２区間Ｐ５２、Ｐ５４に該当するサブ区間Ｓ９、Ｓ１０、Ｓ１１の一部分までの区間に、左眼シャッタ７１０を閉じる。右眼シャッタ信号ＲＳＳは第１表示ブロックＤＢ１及び第２表示ブロックＤＢ２に混合画像を表示する第２区間Ｐ５２、Ｐ５４に該当するサブ区間Ｓ１、Ｓ２、Ｓ３の一部分から次の混合画像を表示する第２区間Ｐ５２、Ｐ５４に該当するサブ区間Ｓ５、Ｓ６、Ｓ７の一部分までの区間に、右眼シャッタ７３０を閉じ、混合画像を表示する第２区間Ｐ５２、Ｐ５４に該当するサブ区間Ｓ５、Ｓ６、Ｓ７の一部分から次の混合画像を表示する第２区間Ｐ５２、Ｐ５４に該当するサブ区間Ｓ９、Ｓ１０、Ｓ１１の一部分までの区間に右眼シャッタ７３０を開く。
【０１０１】
これによって、表示パネル２００に左眼画像Ｌまたは右眼画像Ｒが表示される区間に表示パネル２００に光が照射されるので、観察者は左眼画像Ｌと右眼画像Ｒとの間のクロストークが視認できない。
【０１０２】
図１５は本発明の他の実施形態に係る表示装置の駆動方法を示す概念図である。図１５を参照すれば、本実施形態に係る表示装置は図１３に示した表示装置と比較する時、フレーム制御部を除いては実質的に同一であり、本実施形態に係るフレーム制御部は図７に示したフレーム制御部１２０Ａと実質的に同一である。そのため、繰り返される詳細な説明は省略する。
【０１０３】
以下、図１３及び図１５を参照し本実施形態に係る表示装置の駆動方法を説明する。
【０１０４】
表示パネル２００は、１９２０×１０８０の解像度を有する。パネル駆動部３００はデータ補正部１５０で補正された４８０Ｈｚの第１左眼画像Ｌ１１、第２左眼画像Ｌ２、第３左眼画像Ｌ１３、第１ブラック画像Ｂ１１、第１右眼画像Ｒ１１、第２右眼画像Ｒ１２、第３右眼画像Ｒ１３及び第２ブラック画像Ｂ１２を表示パネル２００に表示する。これによって、パネル駆動部３００が一つのフレーム画像を表示パネル２００に表示するサブ区間は約２ｍｓであり、立体画像Ｌ１１、Ｌ１２、Ｌ１３、Ｂ１１、Ｒ１１、Ｒ１２、Ｒ１３、Ｂ１２を表示パネル２００に表示するメイン区間は約１６ｍｓであってもよい。パネル駆動部３００はプログレッシブスキャン方式で、一つのサブ区間の間表示パネル２００の最初の水平ライン１ｓｔ  ＬＩＮＥから最後の水平ライン１０８０ｔｈ  ＬＩＮＥまで順次に画像データを供給する。
【０１０５】
第１表示ブロックＤＢ１の最初の水平ライン１ｓｔ  ＬＩＮＥを調べれば、第４サブ区間Ｓ４に第１ブラック画像Ｂ１１のデータが供給される。以後、第５〜第７サブ区間Ｓ５、Ｓ６、Ｓ７に右眼画像Ｒ１１、Ｒ１２、Ｒ１３のデータが供給される。第１表示ブロックＤＢ１の駆動区間は、左眼画像Ｌまたは右眼画像Ｒのみに表示される第１区間Ｐ６１、及び、左眼画像Ｌと右眼画像Ｒが混在して表示される第２区間Ｐ６２を有する。最初の水平ライン１ｓｔ  ＬＩＮＥは、第４サブ区間Ｓ４の間、以前フレームの第３左眼画像Ｌ１３が第１ブラック画像Ｂ１１に変化する。最初の水平ライン１ｓｔ  ＬＩＮＥは、右眼画像Ｒ１１、Ｒ１２、Ｒ１３のデータが供給される第５サブ区間Ｓ５から一定区間まで、即ち、第２区間Ｐ６２に第１右眼画像Ｒ１１に変化する。最初の水平ライン１ｓｔ  ＬＩＮＥは、一定区間から第８サブ区間Ｓ８まで、即ち、第１区間Ｐ６１に右眼画像Ｒ１１、Ｒ１２、Ｒ１３を表示する。
【０１０６】
第２区間Ｐ６２は、第１ブラック画像Ｂ１１で第１右眼画像Ｒ１１で変化する区間であり、図１４に示した第２区間Ｐ５２、即ち、第４左眼画像Ｌ１４から第１右眼画像Ｒ１１に変化する区間より短い。即ち、最初の水平ライン１ｓｔ  ＬＩＮＥに、第１右眼画像Ｒ１１を表示する第１区間Ｐ６１が長くなる。本実施形態によれば、第１区間Ｐ６１は、図１４に示した第１区間Ｐ５１より長くなり、第２区間Ｐ６２は、図１４に示した第２区間Ｐ５２より短くなる。
【０１０７】
一方、第２表示ブロックＤＢ２の最後の水平ライン１０８０ｔｈ  ＬＩＮＥを調べれば、概略第５サブ区間Ｓ５に第１ブラック画像Ｂ１１のデータが供給される。以後、概略第６〜第８サブ区間Ｓ６、Ｓ７、Ｓ８に、右眼画像Ｒ１１、Ｒ１２、Ｒ１３のデータが供給される。第２表示ブロックＤＢ２の駆動区間は、左眼画像Ｌまたは右眼画像Ｒのみが表示される第３区間Ｐ６３、及び、左眼画像Ｌと右眼画像Ｒが混在して表示される第４区間Ｐ６４を有する。最後の水平ライン１０８０ｔｈ  ＬＩＮＥは、第５サブ区間Ｓ５の間、以前フレームの第３左眼画像Ｌ１３が第１ブラック画像Ｂ１１に変化する最後の水平ライン１０８０ｔｈ  ＬＩＮＥは、第１右眼画像Ｒ１１のデータが供給される概略第６サブ区間Ｓ６から一定区間まで、即ち、第４区間Ｐ６４で第１右眼画像Ｒ１１に変化する。最後の水平ライン１０８０ｔｈ  ＬＩＮＥは、一定区間から概略第９サブ区間Ｓ９まで、即ち、第３区間Ｐ６３に右眼画像Ｒ１１、Ｒ１２、Ｒ１３を表示する。
【０１０８】
第４区間Ｐ６４は、第１ブラック画像Ｂ１１から第１右眼画像Ｒ１１に変化する区間であり、図１４に示した第４区間Ｐ５４、即ち、第４左眼画像Ｌ１４から第１右眼画像Ｒ１１に変化する区間より短い。結果的に最後の水平ライン１０８０ｔｈ  ＬＩＮＥに、第１右眼画像Ｒ１１を表示する第３区間Ｐ６３が長くなる。本実施形態によれば、第３区間Ｐ６３は、図１４に示した第３区間Ｐ５３より長くなり、反面第４区間Ｐ６４は図１４に示した第４区間Ｐ５４より短くなる。第１区間Ｐ６１、第２区間Ｐ６２、第３区間Ｐ６３及び第４区間Ｐ６４は、液晶の応答速度によって異なって設定される。
【０１０９】
光源駆動部６００Ｂは第１表示ブロックＤＢ１及び第２表示ブロックＤＢ２の駆動区間に同期されて第１の発光モジュール５１６及び第２の発光モジュール５１７に供給する第１光源駆動信号ＬＤＳ１及び第２光源駆動信号ＬＤＳ２を生成する。第１光源駆動信号ＬＤＳ１は、第１表示ブロックＤＢ１の最初の水平ライン１ｓｔ  ＬＩＮＥに表示される画像に同期されて、第１右眼画像Ｒ１１を表示する第１区間Ｐ６１には第１の発光モジュール５１６をターンオンさせて、第１表示ブロックＤＢ１が混合画像を表示する第２区間Ｐ６２には第１の発光モジュール５１６をターンオフさせる。第２光源駆動信号ＬＤＳ２は、第２表示ブロックＤＢ２の最後の水平ライン１０８０ｔｈ  ＬＩＮＥに表示される画像に同期されて、第１右眼画像Ｒ１１を表示する第３区間Ｐ６３には第２の発光モジュール５１７をターンオンさせて、第２表示ブロックＤＢ２が混合画像を表示する第４区間Ｐ６４には第２の発光モジュール５１７をターンオフさせる。
【０１１０】
ここでは、第１表示ブロックの最初の水平ラインに表示される画像に同期させて、第１の発光モジュールを制御する第１光源駆動信号を生成することを例としたが、第１表示ブロックの水平ラインのうちいずれか一つの水平ラインに表示される画像に同期させて、第１光源駆動信号を生成することができる。また、第２表示ブロックの最後の水平ラインに表示される画像に同期させて、第２の発光モジュールを制御する第２光源駆動信号を生成することを例としたが、第２表示ブロックの水平ラインのうちいずれか一つの水平ラインに表示される画像に同期させて、第２光源駆動信号を生成することができる。結果的に、表示ブロックに表示される画像に同期させて、発光モジュールを制御する光源駆動信号を生成することができる。
【０１１１】
メガネ部７００は表示パネル２００の駆動に同期された左眼シャッタ信号ＬＳＳ及び右眼シャッタ信号ＲＳＳに基づいて左眼シャッタ７１０及び右眼シャッタ７３０を開閉する。左眼シャッタ信号ＬＳＳは第１表示ブロックＤＢ１及び第２表示ブロックＤＢ２に混合画像を表示する第２区間Ｐ６２、Ｐ６４に該当するサブ区間Ｓ１、Ｓ２の一部分から次の混合画像を表示する第２区間Ｐ６２、Ｐ６４に該当するサブ区間Ｓ５、Ｓ６の一部分までの区間に左眼シャッタ７１０を開き、混合画像を表示する第２区間Ｐ６２、Ｐ６４に該当するサブ区間Ｓ５、Ｓ６の一部分から次の混合画像を表示する第２区間Ｐ６２、Ｐ６４に該当するサブ区間Ｓ９、Ｓ１０の一部分までの区間に、左眼シャッタ７１０を閉じる。右眼シャッタ信号ＲＳＳは、第１表示ブロックＤＢ１及び第２表示ブロックＤＢ２に混合画像を表示する第２区間Ｐ６２、Ｐ６４に該当するサブ区間Ｓ１、Ｓ２の一部分から次の混合画像を表示する第２区間Ｐ６２、Ｐ６４に該当するサブ区間Ｓ５、Ｓ６の一部分までの区間に、右眼シャッタ７３０を閉じ、混合画像を表示する第２区間Ｐ６２、Ｐ６４に該当するサブ区間Ｓ５、Ｓ６の一部分から次の混合画像を表示する第２区間Ｐ６２、Ｐ６４に該当するサブ区間Ｓ９、Ｓ１０の一部分までの区間に右眼シャッタ７３０を開く。
【０１１２】
これによって、表示パネル２００に、左眼画像Ｌまたは右眼画像Ｒが表示される区間に表示パネル２００に光が照射されるので観察者は左眼画像Ｌと右眼画像Ｒとの間のクロストークが視認できない。
【０１１３】
ブラック画像を左眼画像と右眼画像との間に挿入することによって、液晶の遅い応答特性を以前の左眼画像に対して現在の右眼画像が表示される時間を短縮させることができる。これによって、光源部６００Ｂをターンオンする光源駆動信号のデューティ比を増加させて輝度効率を向上させることができる。
【０１１４】
以上、添付図面を参照しながら本発明の好適な実施形態について詳細に説明したが、本発明は上述した例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１１５】
本発明の実施形態によれば、左眼画像（または、右眼画像）をｋ回繰り返して補正することによって立体画像の表示品質を向上させることができる。また、表示パネルに左眼画像及び右眼画像が混在して表示される区間に、表示パネルに光を照射しないことによって立体画像のクロストークを防止することができる。また、左眼画像と右眼画像との間にブラック画像を挿入することによって液晶の遅いフォーリング応答特性を補償できる時間を確保することができる。これに従って、光源駆動信号のデューティ比を変更させて輝度効率を向上させることができる。
【符号の説明】
【０１１６】
１１０…立体画像処理部、１２０…フレーム制御部、１３０…制御部、１５０…データ補正部、１５１…フレーム検出部、１５３…フレームメモリ、１５５…補正部、２００…表示パネル、３００…パネル駆動部、３１０…データ駆動部、３３０…ゲート駆動部、５００、５００Ａ、５００Ｂ、５００Ｃ…光源部、６００、６００Ａ、６００Ｂ、６００Ｃ…光源駆動部。
【図１】
0005977500.tif 000002
【図２】
0005977500.tif 000003
【図３】
0005977500.tif 000004
【図４】
0005977500.tif 000005
【図５】
0005977500.tif 000006
【図６】
0005977500.tif 000007
【図７】
0005977500.tif 000008
【図８】
0005977500.tif 000009
【図９】
0005977500.tif 000010
【図１０】
0005977500.tif 000011
【図１１】
0005977500.tif 000012
【図１２】
0005977500.tif 000013
【図１３】
0005977500.tif 000014
【図１４】
0005977500.tif 000015
【図１５】
0005977500.tif 000016